(57)【要約】【課題】横倒ししたシーソーのように２箇所の押部が交互に前後に動く操作部を操作することにより鉤部が作動するという従来の錠装置の操作性を損なうことなく構造を改良して、鉤の形状を鎌形にすると共にその動きを左右かつ前後方向の動きではなく、時計回りまたは反時計回りの動きにした鎌錠構造を提供すること。【解決手段】操作部２の仮施錠押部２１を押すと係合溝２４が係合軸３１を介して揺動体３を水平面上で反時計回りに回転させることにより係合溝３３がスライド軸７１を介して連結体７とスライド体５を左方向へスライドさせ、スライド溝５２が係合突部６２を介して鎌形鉤部６を垂直面上で反時計回りに回転させることで仮施錠状態となるよう構成した。【選択図】図１
2014205960.tif 000002
【特許請求の範囲】
【請求項１】
平面視形状をへ字形に形成しその中央部をケーシングに対して垂直方向に軸支しその軸に対して左右位置に形成した仮施錠押部と解錠押部が横倒ししたシーソーのように交互に前後方向に揺動自在とした操作部と、上下両面間に後述する揺動体と連結体とスライド体を内包しその上下両面に左右方向に長いガイド穴と左端からほぼ中央まで形成した切込み溝と縦方向の軸受穴を形成したガイドケースと、前記操作部の端部に形成した嘴状の係合溝に係合する上下方向の係合軸と前記ガイドケースの上下両軸受穴に軸支する支点軸および同方向に向いて形成した上下の係合溝が略三角位置にある揺動体と、前記揺動体の上下両係合溝に係合する上に長く下に短く突き出したスライド軸と側方に張り出した上下片間に形成した連結軸を有する連結体と、前記連結体の連結軸に嵌合する後方開口の嵌合部と前面開口で上下方向に形成したスライド溝を有するスライド体と、前記スライド体のスライド溝に係合する係合突部を形成しその反対面に係合突部と軸線をずらして回転軸を形成しその回転軸を前記ガイドケースの下面に形成した横向きの軸受穴に挿入した鎌形鉤部とからなる引戸扉の鎌錠構造。
【請求項２】
前記ガイドケースの上下両面に形成した左右方向に長いガイド穴は、右から左に向かうに従い後方寄りになり、左端近くで前方向に屈曲した平面視がへの字形状であり、鎌形鉤部が戸当開口部に係合した状態において、鍵でシリンダー錠を９０度回転させることにより一体的に９０度回転してスライド軸のスライド動作を阻止するよう構成したスライドストッパーは、前述のガイド穴の左端に位置したスライド軸が右方向に動くことを妨げるためスライド軸の後方と側面の２面に接触する突部と平面部を形成したことを特長とする請求項１記載の引戸扉の鎌錠構造。
【発明の詳細な説明】
【技術分野】
【０００１】
本発明はプレハブ建物あるいは物置等の引戸扉の鎌錠構造であり、詳しくは横倒しにしたシーソーのように交互前後動での仮施錠操作と仮施錠の解錠操作により、鎌形鉤部が時計回りまたは反時計回りに９０度回転する鎌錠構造に関するものである。
【背景技術】
【０００２】
出願人は以前に上記特許の錠装置の発明をしたが、この錠装置は、横倒ししたシーソーのように２箇所の押部が交互に前後に動く操作部を操作することにより、鉤部が左右かつ前後方向に動いて戸当りの係合穴に係合する構造であった。
【先行技術文献】
【特許文献】
【０００３】
【特許文献１】特開２００４―２７８２４６号公報
【発明の概要】
【発明が解決しようとする課題】
【０００４】
引戸扉はレールに沿ってスライドして開閉する構造であるため、レール幅はレール内を動く扉ガイドに対して僅かに隙間を設けた幅に設計されている。そのため引戸扉が建物あるいは物置本体の奥行き方向（前後方向）に僅かながらガタつくことは避けられない。さらに引戸扉は上下のレールにより支持されていることから、高さにおける中央部が風圧または他の外力により前後に撓むことが考えられ、その撓みは引戸扉の高さ寸法が大きいほど大きくなる。
【０００５】
そして扉の錠装置は使い勝手を考慮してほぼ中央高さ位置に取付けられているため、前述のように鉤部が左右かつ前後方向に動く構造の錠装置では、悪条件が重なると仮施錠状態または本施錠状態においても扉が開いてしまう、または悪意によって開けられる可能性があるという問題があった。
【０００６】
本発明は、上記問題を解決するために、横倒ししたシーソーのように２箇所の押部が交互に前後に動く操作部を操作することにより鉤部が作動するという従来の錠装置の操作性を損なうことなく、鉤の形状を鎌形にすると共にその動作を時計回りまたは反時計回りの動きになるよう構造を改良して、扉に前後方向のガタつきあるいは撓みが発生しても確実な施錠状態を維持できる鎌錠構造を提供することである。
【課題を解決するための手段】
【０００７】
前記課題を解決するため、請求項１の発明は、平面視形状をへ字形に形成しその中央部をケーシングに対して垂直方向に軸支しその軸に対して左右位置に形成した仮施錠押部と解錠押部が横倒ししたシーソーのように交互に前後方向に揺動自在とした操作部と、上下両面間に後述する揺動体と連結体とスライド体を内包しその上下両面に左右方向に長いガイド穴と左端からほぼ中央まで形成した切込み溝と縦方向の軸受穴を形成したガイドケースと、前記操作部の端部に形成した嘴状の係合溝に係合する上下方向の係合軸と前記ガイドケースの上下両軸受穴に軸支する支点軸および同方向に向いて形成した上下の係合溝が略三角位置にある揺動体と、前記揺動体の上下両係合溝に係合する上に長く下に短く突き出したスライド軸と側方に張り出した上下片間に形成した連結軸を有する連結体と、前記連結体の連結軸に嵌合する後方開口の嵌合部と前面開口で上下方向に形成したスライド溝を有するスライド体と、前記スライド体のスライド溝に係合する係合突部を形成しその反対面に係合突部と軸線をずらして回転軸を形成しその回転軸を前記ガイドケースの下面に形成した横向きの軸受穴に挿入した鎌形鉤部とからなる引戸扉の鎌錠構造とした。
【０００８】
このように構成することにより、従来の錠構造に対して一部構造を変更するだけで良く、全体的に変更改良する必要が無いため、コストを抑えることができる。またそのような構造にすることで、以前と同じく横倒ししたシーソーのように２箇所の押部を交互に前後に動かす操作性は変わらず、仮施錠および仮施錠からの解錠は、操作部の仮施錠押部または解錠押部を押すだけで良いので両手で品物を持った状態とか手先が不自由な方でも容易に仮施錠または解錠ができる。そして引戸扉が何らかの外力の影響により多少前後方向に変形しても鉤部を鎌形状にして垂直面上で回転動作をすることで係合相手の係合穴から外れたりすることが避けられるので、保安面での信頼性が向上する。
【０００９】
また請求項２の発明は、前記ガイドケースの上下両面に形成した左右方向に長いガイド穴は、右から左に向かうに従い後方寄りになり、左端近くで前方向に屈曲した平面視がへの字形状であり、鎌形鉤部が戸当開口部に係合した状態において、鍵でシリンダー錠を９０度回転させることにより一体的に９０度回転してスライド軸のスライド動作を阻止するよう構成したスライドストッパーは、前述のガイド穴の左端に位置したスライド軸が右方向に動くことを妨げるためスライド軸の後方と側面の２面に接触する突部と平面部を形成した。
【００１０】
以上のように構成することにより、本施錠状態のスライド軸は、スライドストッパーで後方と右側面への移動を妨げられる。またガイド穴を前述のようなへの字形状にすることにより前記スライドストッパーの動きに若干の遊びがあっても、ガイド穴の左端に位置したスライド軸はガイド穴の屈曲部により直線的に右方向に移動することが妨げられるので、鎌形鉤部が外れて意図せず解錠することがなく確実に施錠状態を維持できるので、防犯性が向上する。
【発明の効果】
【００１１】
従来の錠装置の問題点を解消するために、鉤部を鎌形状に変更しその動きを水平面上の動きではなく垂直面上での動きに変更したが、従来の錠装置の一部構造を変更するだけでその目的を達成でき、しかも仮施錠および解錠は、横倒ししたシーソーのように２箇所の押部が交互に前後に動く操作部を操作することにより鉤部が作動するという従来どおりの操作性を損なうことなく容易に構造の改善ができる。
【図面の簡単な説明】
【００１２】
【図１】本発明の鎌錠要部を分解して示した斜視図
【図２】本発明の鎌錠が解錠である状態を示す断面図
【図３】本発明の鎌錠が解錠である状態を示す要部の斜視図
【図４】本発明の鎌錠が施錠である状態を示す断面図
【図５】本発明の鎌錠が施錠である状態を示す要部の斜視図
【図６】本施錠した状態を示す要部の斜視図
【図７】スライドストッパーの斜視図
【発明を実施するための形態】
【００１３】
以下、図面に従って本発明を具体的に説明する。
【００１４】
図１は、本発明の鎌錠を分解して示した分解斜視図である。操作部２は、平面視形状をへ字形に形成しその中央部の軸穴２３でケーシング(図示省略)に対して垂直方向に軸支する。その軸に対して左右位置に形成した仮施錠押部２１と解錠押部２２が横倒ししたシーソーのように交互に前後方向に揺動自在となる。また前記仮施錠押部２１側の端部に後述する揺動体３に係合する嘴状の係合溝２４を形成した。
【００１５】
揺動体３は、前記係合溝２４に係合する上下方向の係合軸３１と後述のガイドケース４の上下面４１、４２に軸支する支点軸３２および同方向に向いて形成した上下の係合溝３３、３３を有し、平面視がくの字形状で支点軸３２を支点にガイドケース４内で揺動自在である。
【００１６】
ガイドケース４は、上下両面４１，４２間に前述の揺動体３と後述の連結体７およびスライド体５を内包する。前記上下両面４１，４２に右から左に向かうに従い後方寄りになり左端近くで前方向に屈曲した屈曲部４３ａを有する平面視がへの字形状のガイド穴４３、４３と、左端からほぼ中央まで形成した切込み溝４４、４４と、前記揺動体３の支点軸３２を受ける縦方向の軸受穴４５、４５を形成した。さらに下面４２に後述する鎌形鉤部６の回転軸６１を受ける横向きの軸受穴４６を形成した。
【００１７】
連結体７は、上向きに長く下向きに短いスライド軸７１が前記揺動体３の上下係合溝３３，３３に係合し、さらに前記ガイドケース４のガイド穴４３、４３を貫通して揺動体３の揺動によりガイド穴４３、４３に沿ってガイドケース４内でスライド且つ揺動可能である。スライド軸７１は前記ガイドケース４の上面４１のガイド穴４３から上方向に突き出す。また後述のスライド体５側に張り出した上下片７２，７２間に連結軸７３を形成した。
【００１８】
スライド体５は、前記連結体７の連結軸７３に嵌合する嵌合部５１を後向きに開口して形成し、後述の鎌形鉤部６の係合突部６２が溝内で上下にスライド可能なスライド溝５２を前向き開口で上下方向に形成した。スライド体５は、連結体７と一緒にガイドケース４内を左右方向にスライドする。
【００１９】
鎌形鉤部６は、正面視がくの字形状の板材で後端部に前記ガイドケース４の軸受穴４６に軸支する回転軸６１を前方へ突出するよう形成し、その回転軸６１と反対面に軸線をずらして係合突部６２を形成した。
【００２０】
図２は、引戸扉Ａの端部に取付けた鎌錠Ｂが解錠状態を示す水平断面図である。鎌錠Ｂのケーシング１の正面開口部に配置した操作部２は、平面視が略への字形状で正面左側に仮施錠押部２１と正面右側に解錠押部２２の凹曲面を形成し、両押部は横倒ししたシーソーのように交互に前後方向に揺動する。図２は解錠押部２２が押され（矢印Ｙ１）鎌形鉤部６の先端が引戸扉Ａ内に引き込まれた解錠状態を示している。Ｃは隅柱で前記引戸扉Ａに当接する位置に戸当開口部Ｃ1を形成している。
【００２１】
矢印Ｙ２は、建物あるいは物置の内部から仮施錠状態を解錠するための操作を示したもので、前記仮施錠押部２１の裏側にケーシング１から突出するよう形成した内部解錠押部１１を押すことで解錠押部２２を押すことと同じ作動となる。
【００２２】
図３は、各部品の組み合わせ状態をわかりやすくするため図２における要部を示した斜視図である。各部品を実線でそれらを内包するガイドケース４と引戸扉Ａを二点鎖線で示している。解錠状態であるため鎌形鉤部６は起き上がりガイドケース４の上面の切込み溝４４内に収まっている。
【００２３】
図４および図５は、引戸扉Ａの端部に取付けた鎌錠Ｂが仮施錠（または本施錠）状態を示す水平断面図とその要部を示した斜視図である。図２の状態から操作部２の仮施錠押部２１を押す（矢印Ｙ３）と、係合溝２４が係合軸３１を介して揺動体３を反時計回りに揺動させ揺動体３の係合溝３３がスライド軸７１を介して連結体７およびスライド体５を左方向へスライドさせる。スライド体５のスライド溝５２が係合突部６２を介して鎌形鉤部６を図５において反時計回りに９０度回転させることにより鎌形鉤部６が戸当開口部Ｃ１に係合して仮施錠（または本施錠）状態となる。
【００２４】
図６および図７は、本施錠をした状態を示す斜視図とスライドストッパー８を示した斜視図である。スライドストッパー８はシリンダー錠Ｓの端部に一体的に形成されている。シリンダー錠Ｓを鍵Ｋで９０度回転させることによりスライドストッパー８も９０度回転して突部８１と平面部８２が、ガイド穴４３の左端に位置しているスライド軸７１の後方および右側面に接触した状態となる。それによりスライド体５は右方向へのスライドが阻止された状態となる。
【００２５】
またガイド穴４３は平面視がへの字形状であり右から左に向かうに従い後方寄りになり左端近くで前方向に屈曲した屈曲部４３ａがあるため、スライド軸７１が直線的に右方向へ戻ることが妨げられるので、前記スライドストッパー８の動きに若干の遊びがあってもスライド体５は右方向へのスライドが阻止された状態であり、すなわち鎌形鉤部６を時計回りに９０度回転させることができない状態で、確実な施錠状態を維持できる。
【符号の説明】
【００２６】
Ａ…引戸扉
Ｂ…鎌錠
Ｃ…隅柱
Ｃ１…戸当開口部
１…ケーシング
２…操作部
３…揺動体
４…ガイドケース
５…スライド体
６…鎌形鉤部
７…連結体
８…スライドストッパー
【図１】
2014205960.tif 000003
【図２】
2014205960.tif 000004
【図３】
2014205960.tif 000005
【図４】
2014205960.tif 000006
【図５】
2014205960.tif 000007
【図６】
2014205960.tif 000008
【図７】
2014205960.tif 000009